(57)【要約】【課題】貸し出しの管理が不要なほど簡単なリモコン装置により、部屋の照明の制御を行うことを可能にすること。【解決手段】使用者の操作に基づき、可聴音または超音波よりなり所定の周波数成分を有する音波情報を発生するリモコン装置と、前記音波情報の周波数成分の有無と振幅レベルを検出し、前記所定の周波数成分が所定の振幅レベルを越えている場合に、光源の発光光度を指示する照明制御情報を変更して出力するリモコン受信部と、前記照明制御情報に基づき、光源の発光光度を制御する照明制御部と、前記照明制御部により発光光度を変化させる光源とを具備した照明制御用リモコンシステムにより、簡単なリモコン装置が実現でき、特別の貸し出し管理が不要になる。【選択図】図１
2008016290.tif 000002
【特許請求の範囲】
【請求項１】
可聴音または超音波より成り、かつ、所定の周波数成分を有する音波情報を発生するリモコン装置と、
発光光度を変化させることができる光源と、
前記音波情報を受信し、前記所定の周波数成分と振幅レベルを検出し、前記所定の周波数成分が所定の振幅レベルを越えている場合に、光源の発光光度を指示する情報である照明制御情報を変更して出力するリモコン受信部と、
前記照明制御情報に基づき、前記光源の発光光度を制御する照明制御部と
を具備した照明制御用リモコンシステム。
【請求項２】
可聴音または超音波より成り、かつ、所定の周波数成分を有する音波情報を発生するリモコン装置と、
前記音波情報を受信し、前記所定の周波数成分と振幅レベルを検出し、前記所定の周波数成分が所定の振幅レベルを越えている場合に、光源の発光光度を指示する情報である照明制御情報を変更して出力するリモコン受信部と、
を具備した照明制御用リモコンシステム。
【請求項３】
前記リモコン受信部は、
前記音波情報の受信時間間隔がΔＴｂ以上の場合に、前記照明制御情報が指示する発光光度を低減または増加の何れか一方に変更し、前記受信時間間隔がΔＴａ以下の場合に、前記照明制御情報が指示する発光光度を前記低減または増加の他方に変更し、かつ、ΔＴａ＝ΔＴｂまたはΔＴａ＜ΔＴｂとした請求項１または請求項２記載の照明制御用リモコンシステム。
【請求項４】
前記リモコン受信部は、
前記音波情報の受信時間間隔がΔＴｂ以上の場合に、前記照明制御情報が指示する発光光度を１ステップ低減または増加の何れか一方に変更し、前記受信時間間隔がΔＴａ以下の場合に、前記照明制御情報が指示する発光光度を前記１ステップ低減または増加の他方に変更し、ΔＴａ＝ΔＴｂまたはΔＴａ＜ΔＴｂとした請求項１または請求項２記載の照明制御用リモコンシステム。
【請求項５】
前記リモコン受信部は、
所定時間Ｔｗ内に受信する前記音波情報の回数を計数し、前記回数が３通りの回数の内の第１の回数である場合、前記照明制御情報が指示する発光光度を低減する制御を行い、前記回数が３通りの内の第２の回数である場合、前記照明制御情報が指示する発光光度を増加する制御を行い、前記回数が３通りの内の第３の回数である場合、前記照明制御情報が指示する発光光度を維持する制御を行う請求項１または請求項２記載の照明制御用リモコンシステム。
【請求項６】
前記リモコン受信部は、
所定時間Ｔｗ内に受信する前記音波情報の回数を計数し、前記回数が３通りの回数の内の第１の回数である場合、前記照明制御情報が指示する発光光度を持続的に低減する制御を行い、前記回数が３通りの内の第２の回数である場合、前記照明制御情報が指示する発光光度を持続的に増加する制御を行い、前記回数が３通りの内の第３の回数である場合、前記照明制御情報が指示する発光光度を維持する制御を行う請求項１または請求項２記載の照明制御用リモコンシステム。
【請求項７】
前記リモコン装置が発生する前記音波情報は、
第１の周波数成分を含む第１の音波情報または第２の周波数成分を含む第２の音波情報の何れかであって、
前記リモコン受信部は、
前記第１の音波情報を受信すると、前記照明制御情報が指示する発光光度を低減する制御を行い、前記第２の音波情報を受信すると、前記照明制御情報が指示する発光光度を増加する制御を行う請求項１または請求項２記載の照明制御用リモコンシステム。
【請求項８】
前記リモコン装置が発生する前記音波情報は、
第１の周波数成分を含む第１の音波情報または第２の周波数成分を含む第２の音波情報の何れかであって、
前記リモコン受信部は、
前記第１の音波情報を受信すると、前記照明制御情報が指示する発光光度を１ステップ低減する制御を行い、前記第２の音波情報を受信すると、前記照明制御情報が指示する発光光度を１ステップ増加する制御を行う請求項１または請求項２記載の照明制御用リモコンシステム。
【請求項９】
前記リモコン装置は、
スイッチ、発振回路、電池、および、スピーカを具備し、前記スイッチ、前記発振回路、前記電池、および、前記スピーカを薄い形状とし、カード表面またはカード内部に収納したカード状のリモコン装置であって、前記スイッチを押すことにより前記発振回路が前記スピーカに前記音波情報を発生させる請求項１または請求項２記載の照明制御用リモコンシステム。
【請求項１０】
前記リモコン装置は、
圧電発電回路、発振回路、および、スピーカを具備し、前記圧電発電回路、前記発振回路、および、前記スピーカを薄い形状として、カード表面またはカード内部に収納し、前記圧電発電回路に与える機械的ひずみによって発生する電圧により前記発振回路が前記スピーカに前記音波情報を発生させる、カード状のリモコン装置である請求項１または請求項２記載の照明制御用リモコンシステム。
【請求項１１】
前記リモコン装置は、
２つのスイッチ、発振回路、電池、および、スピーカを具備し、前記スイッチ、前記発振回路、前記電池、および、前記スピーカを薄い形状とし、カード表面またはカード内部に収納したカード状のリモコン装置であって、前記スイッチを押すことにより前記発振回路が前記スピーカに前記音波情報を発生させ、前記２つのスイッチの何れを押すかにより、発生する音波情報の周波数成分が異なるようにした請求項７または請求項８記載の照明制御用リモコンシステム。
【請求項１２】
前記リモコン装置は、
２つの圧電発電回路、発振回路、および、スピーカを具備し、前記圧電発電回路、前記発振回路、および、前記スピーカを薄い形状とし、カード表面またはカード内部に収納したカード状のリモコン装置であって、前記圧電発電回路を押して機械的ひずみを与えることにより前記発振回路が前記スピーカに前記音波情報を発生させ、前記２つの圧電発電回路の何れを押すかにより、発生する音波情報の周波数成分が異なるようにした請求項７または請求項８記載の照明制御用リモコンシステム。
【請求項１３】
前記リモコン装置は、
押圧力による変形、または、打撃、または、吹奏により前記音波情報を発生することを特徴とする請求項１または請求項２記載の照明制御用リモコンシステム。
【請求項１４】
前記リモコン装置は、
押圧力による変形、または、打撃、または、吹奏により前記音波情報を発生することを特徴とし、部屋の壁または演台上に設置することを特徴とする請求項１または請求項２記載の照明制御用リモコンシステム。
【請求項１５】
前記請求項１から請求項１４いずれか記載の照明制御用リモコンシステムを構成するリモコン装置。
【発明の詳細な説明】
【技術分野】
【０００１】
本発明は、照明制御用リモコンシステムおよびリモコン装置に関し、特に、簡単なリモコン装置により簡単な操作で部屋の照明を制御することができる照明制御用リモコンシステムおよびリモコン装置に関する。
【背景技術】
【０００２】
従来、リモコン装置としては、テレビ゛やビデオ用のリモコン装置に代表されるように、種々の操作指令を符号列信号で変調した赤外線光信号として送信し、符号列信号を復調して指令内容を解読し、テレビなどの機器の操作を行うものが知られている。また、ＩＣカードをリモコンとして使用するシステムが知られている（例えば特許文献１、特許文献２参照）。しかし、これら先行技術によるリモコン方式は、特許文献１のように、種々の指令を符号列信号として送信する複雑な方式である。
【特許文献１】特開平２００２−１４０６６８号公報（第１頁、図１等）
【特許文献２】特開平７−１５８９４４号公報（第１頁、図１等）
【発明の開示】
【発明が解決しようとする課題】
【０００３】
しかしながら、上記従来技術によるリモコン装置は、複雑で高価であり、会議室などの照明制御のように、不特定多数の人が使用する部屋の場合、リモコン装置の貸し出し、返却などの管理を確実に行っても、紛失などが頻繁に発生するという問題があった。
【０００４】
本発明は、会議室、ホールなどの照明器具が設置された場所で手軽に使用でき、リモコン装置が紛失しても問題が発生しないほど簡便で、安価な照明制御用リモコンシステムおよびリモコン装置を提供することを目的とする。
【課題を解決するための手段】
【０００５】
上記の課題を解決するために、本発明の照明制御用リモコンシステムおよびリモコン装置は、以下のような構成および手順を採用する。
（１）使用者の操作に基づき、可聴音または超音波よりなり所定の周波数成分を有する音波情報を発生するリモコン装置と、前記音波情報の周波数成分の有無と振幅レベルを検出し、前記所定の周波数成分が所定の振幅レベルを越えている場合に、光源の発光光度を指示する情報である照明制御情報を変更して出力するリモコン受信部と、前記照明制御情報に基づき、光源の発光光度を制御する照明制御部と、前記照明制御部により発光光度を変化させる光源と、を具備した照明制御用リモコンシステム、である。
【０００６】
本発明の照明制御用リモコンシステムおよびリモコン装置は、構成が簡単であるため故障の心配が少なく、安価に製造でき、また、使用方法が簡単であり、紛失しても問題が発生しないほど簡便で、貸し出しの管理の必要がなくなる。
（２）使用者の操作に基づき、可聴音または超音波よりなり所定の周波数成分を有する音波情報を発生するリモコン装置と、前記音波情報の周波数成分の有無と振幅レベルを検出し、前記所定の周波数成分が所定の振幅レベルを越えている場合に、光源の発光光度を指示する情報である照明制御情報を変更するリモコン受信部と、を具備した照明制御用リモコンシステム、である。
【０００７】
本発明の照明制御用リモコンシステムおよびリモコン装置は、構成が簡単であるため故障の心配が少なく、安価に製造でき、また、使用方法が簡単であり、紛失しても問題が発生しないほど簡便で、貸し出しの管理の必要がなくなる。
（３）前記リモコン受信部は、前記音波情報の受信時間間隔がΔＴｂ以上の場合に、前記照明制御情報が指示する発光光度を低減または増加の何れか一方に制御し、前記受信時間間隔がΔＴａ以下の場合に、前記照明制御情報が指示する発光光度を前記低減または増加の他方に制御を行い、かつ、ΔＴａ＝ΔＴｂまたはΔＴａ＜ΔＴｂとした照明制御用リモコンシステム、である。発光光度の低減または増加は１ステップの適当な値でよい。
【０００８】
本発明の照明制御用リモコンシステムおよびリモコン装置は、構成が簡単であるため故障の心配が少なく、安価に製造でき、また、使用方法が簡単である。
（４）前記リモコン受信部は、所定時間Ｔｗ内に受信する前記音波情報の回数を計数し、前記回数が３通りの内の第１の回数である場合、前記照明制御情報が指示する発光光度を低減する制御を行い、前記回数が３通りの内の第２の回数である場合、前記照明制御情報が指示する発光光度を増加する制御を行い、前記回数が３通りの内の第３の回数である場合、前記照明制御情報が指示する発光光度を維持する制御を行う照明制御用リモコンシステム、である。発光光度の低減、増加の制御は、所定の速度で持続的に行えば良い。
【０００９】
本発明の照明制御用リモコンシステムおよびリモコン装置は、構成が簡単であるため故障の心配が少なく、安価に製造でき、また、使用方法が簡単である。
（５）前記リモコン装置が発生する前記音波情報は、第１の周波数成分を含む第１の音波情報または第２の周波数成分を含む第２の音波情報の何れかであり、前記リモコン受信部は、前記第１の音波情報を受信すると、前記照明制御情報が指示する発光光度を低減する制御を行い、前記第２の音波情報を受信すると、前記照明制御情報が指示する発光光度を増加する制御を行う照明制御用リモコンシステム、である。発光光度の低減または増加は１ステップの適当な値でよい。
【００１０】
本発明の照明制御用リモコンシステムおよびリモコン装置は、構成が簡単であるため故障の心配が少なく、安価に製造でき、また、使用方法が簡単である。
（６）前記リモコン装置は、スイッチ、発振回路、電池、および、スピーカを具備し、前記スイッチ、前記発振回路、前記電池、および、前記スピーカを薄い形状とし、カード表面またはカード内部に収納したカード状のリモコン装置であって、前記スイッチを押すことにより前記発振回路が前記スピーカに前記音波情報を発生させる照明制御用リモコンシステム、である。
【００１１】
本発明の照明制御用リモコンシステムおよびリモコン装置は、構成が簡単であるため故障の心配が少なく、安価に製造でき、また、使用方法が簡単である。
（７）前記リモコン装置は、圧電発電回路、発振回路、および、スピーカを具備し、前記圧電発電回路、前記発振回路、および、前記スピーカを薄い形状として、カード表面またはカード内部に収納し、前記圧電発電回路を曲げることにより発生する電圧により前記発振回路が前記スピーカに前記音波情報を発生させる、カード状のリモコン装置である照明制御用リモコンシステム、である。
【００１２】
本発明の照明制御用リモコンシステムおよびリモコン装置は、構成が簡単であるため故障の心配が少なく、安価に製造でき、また、使用方法が簡単である。
（８）前記リモコン装置は、２つのスイッチ、発振回路、電池、および、スピーカを具備し、前記スイッチ、前記発振回路、前記電池、および、前記スピーカを薄い形状とし、カード表面またはカード内部に収納したカード状のリモコン装置であって、前記スイッチを押すことにより前記発振回路が前記スピーカに前記音波情報を発生させ、前記２つのスイッチの何れを押すかにより、発生する音波情報の周波数成分が異なるようにした照明制御用リモコンシステム、である。
【００１３】
本発明の照明制御用リモコンシステムおよびリモコン装置は、構成が簡単であるため故障の心配が少なく、安価に製造でき、また、使用方法が簡単である。
（９）前記リモコン装置は、押圧力による変形、打撃、または、吹奏によりにより前記音波情報を発生することを特徴とする照明制御用リモコンシステム、である。
【００１４】
本発明の照明制御用リモコンシステムおよびリモコン装置は、構成が簡単であるため故障の心配が少なく、安価に製造でき、また、使用方法が簡単である。
（１０）前記リモコン装置は、押圧力による変形、打撃、または、吹奏によりにより前記音波情報を発生することを特徴とし、部屋の壁または演台上に設置することを特徴とする照明制御用リモコンシステム、である。
【００１５】
本発明の照明制御用リモコンシステムおよびリモコン装置は、構成が簡単であるため故障の心配が少なく、安価に製造でき、また、使用方法が簡単であり、紛失の懸念がないので、貸し出し管理が不要である。
【発明の効果】
【００１６】
以上のように、本発明における照明制御用リモコンシステムおよびリモコン装置によれば、リモコン装置の構成が簡単で、安価であるため、紛失などを気にすることなく、貸し出し、貸与、使用が可能になる。
【発明を実施するための最良の形態】
【００１７】
本発明の照明制御用リモコンシステムおよびリモコン装置の実施形態について図面を参照して説明する。なお、実施の形態において同じ符号を付した構成要素が同様の動作を行う場合には、再度の説明を省略する場合がある。
（実施の形態１）
【００１８】
図１に、本発明の実施の形態１の照明制御用リモコンシステムの構成ブロック図を示す。本発明の照明制御用リモコンシステムは、リモコン装置１、リモコン受信部２、照明制御部３および光源４を具備する。
【００１９】
リモコン装置１は、照明制御を行う人が操作すると後述する可聴音波や超音波信号より成る音波情報を発生する。リモコン受信部２は、音波情報を受信し、後述する手順に従って、音波情報が指示するリモコンの制御内容を解読し、照明制御情報を生成して照明制御部３に供給する。照明制御部３は、リモコン受信部２から供給された照明制御情報に従って、光源４の発光光度を設定制御する。光源４は、１個でも、部屋の天井に設置された複数個の蛍光灯などの光源でもよい。
【００２０】
リモコン装置１は、例えば、図２のように薄膜スイッチ１１、発振回路１２、セラミックスピーカ１３、および、電池１４を具備する。電池１４の電源電圧は、薄膜スイッチ１１と発振回路１２に供給されている。照明制御を行う人、すなわち、使用者が薄膜スイッチ１１を押すと、薄膜スイッチ１１から発振回路１２にトリガ信号が供給される。発振回路１２は、トリガ信号を受け取ると、所定の周波数、周波数ｆｓ（ｋＨｚ）、時間長Ｔｓ（ｍｓ）のリモコン信号を発振し、セラミックスピーカ１３に供給する。一例として、周波数ｆｓ（ｋＨｚ）は３ｋＨｚ、時間長Ｔｓ（ｍｓ）は１００ｍｓとする。セラミックスピーカ１３は、リモコン信号を受け取るとリモコン音波信号に変換して放音する。以下、この音信号を音波情報と呼ぶことにする。薄膜スイッチ１１、電池１４、セラミックスピーカ１３は厚さの薄い薄膜形状で作り、発振回路１２と共に紙などに漉き込んで、例えば、カード形状にする。
【００２１】
図３は、リモコン受信部２の構成の一例のブロック図である。図３において、リモコン受信部２は、マイクロフォン２０、周波数抽出回路２１、検波回路２２、立上がり検出回路２３、クロック回路２４、計数回路２５、レジスタ２６、定数発生回路２７、比較回路２８、および、照明制御情報生成回路２９を具備する。マイクロフォン２０は音波を受音して電気信号に変換し、その出力信号を周波数抽出回路２１に供給する。周波数抽出回路２１は、ｆ＝３ｋＨｚの周波数成分を抽出するフィルタ回路である。検波回路２２は、周波数抽出回路２１の出力信号を両波整流し、包絡線信号を立上がり検出回路２３に供給する。立上がり検出回路２３は、微分回路やシュミットトリガ回路で構成され、包絡線信号が所定電圧以上に上昇した場合に、パルス信号Ｐを出力する。パルス信号Ｐは、計数回路２５とレジスタ２６に供給される。計数回路２５は、クロック回路２４から供給されるクロック信号を計数している。また、計数回路２５は、立上がり検出回路２３からパルス信号Ｐを受け取ると、その時点の計数値ΔＴをレジスタ２６に転送した後、計数値をリセットして０とし、新たに計数を開始する。レジスタ２６は、パルス信号Ｐを受け取ると、計数回路２５から計数値ΔＴを受け取り格納する。レジスタ２６には前回の計数値ΔＴが格納される。定数発生回路２７は、所定の定数値ＴａとＴｂを発生させる。定数値Ｔａ＝１．５秒、定数値Ｔｂ＝５秒とする。比較回路２８は、定数発生回路２７の定数値ＴａとＴｂとレジスタ２６の計数値ΔＴを比較し、比較結果を照明制御情報生成回路２９に供給して、照明制御情報を生成させる。クロック回路２４が１００Ｈｚのクロック信号を生成する場合、ΔＴが１５の場合、１．５秒に相当し、ΔＴ＝５０の場合、５秒に相当する。
【００２２】
照明制御情報は、光源４の発光光度、例えば、カンデラ値を制御する情報で、照明制御部３に供給される。照明制御部３は、光源４が蛍光灯の場合、その発光時間率を０％から１００％の間で変化させることができるインバータ回路などでよい。照明制御情報は、カンデラ値を表すデジタル値情報、０％から１００％の％を表す数値情報、あるいは、符号情報などである。照明制御情報の形態は、照明制御部３の回路に合わせたものとすればよい。
【００２３】
比較回路２８は、ΔＴと定数値ＴａとＴｂの比較処理を行う。Ｔｂ＜ΔＴの場合、比較回路２８は、減光指令情報を照明制御情報生成回路２９に供給する。照明制御情報生成回路２９は、光度情報のカンデラ値をΔＣカンデラ低減した照明制御情報を出力する。ΔＴ＜Ｔａの場合、比較回路２８は、増光指令情報を照明制御情報生成回路２９に供給する。照明制御情報生成回路２９は、光度情報のカンデラ値をΔＣカンデラ増加した照明制御情報を出力する。
【００２４】
本実施の形態では、リモコン装置１が発生する音波情報の発生する時間間隔の大小、従って、リモコン受信部２が音波情報を受信する受信時間間隔により、光源４の発光光度を１ステップ増光、あるいは減光する制御を行う。図４は、リモコン装置１が発生する音波情報と立上がり検出回路２３が発生するパルス信号Ｐの時間関係を説明する図である。減光制御を行う場合、図４（Ａ）のように、時間間隔をあけてリモコン装置１の薄膜スイッチ１１を押して音波情報を発生させる。最初に音波情報Ｓ１を発生させる場合、前回の発生から時間ΔＴ１経っているものとする。音波情報Ｓ１の発生により、立上がり検出回路２３がパルス信号Ｐ１を発生させる。比較回路２８は、上記のように、ΔＴ１と定数値ＴａとＴｂの比較処理を行う。ΔＴ１が５秒以上の場合、照明制御情報は、ΔＣカンデラ分減少する。次に、５秒以上待ってリモコン装置１の薄膜スイッチ１１を押すと、図４（Ａ）の音波情報Ｓ２が発生し、立上がりが検出され、立上がり検出回路２３はパルス信号Ｐ２を発生する。レジスタ２６における計数値ΔＴ２は、５秒以上であるので、照明制御情報は、更にΔＣカンデラ分減少する。このように、５秒以上の時間間隔をあけて薄膜スイッチ１１を押すと、薄膜スイッチ１１を押すたびに、照明制御部３は、光源４の発光光度をΔＣカンデラずつ小さくできる。
【００２５】
光源４の発光光度を増加させるには、図４（Ｂ）のように、薄膜スイッチ１１を短時間間隔で押さえる。図４（Ｂ）において、時間間隔ΔＴ１後に薄膜スイッチ１１を押えると、音波情報Ｓ１の発生により立上がり検出回路２３がパルス信号Ｐ１を発生させる。比較回路２８は、上記のように、ΔＴ１と定数値ＴａとＴｂの比較処理を行う。まず、ΔＴ１は５秒以上であるので、照明制御情報は、一旦ΔＣカンデラ分減少する。次に、１．５秒以内にリモコン装置１の薄膜スイッチ１１を押すと、図４（Ｂ）の音波情報Ｓ２が発生し、立上がりが検出され、立上がり検出回路２３からパルス信号Ｐ２が発生する。レジスタ２６における計数値ΔＴ２は、１．５秒以下であるので、照明制御情報はΔＣカンデラ分増加する。以降、１．５秒以内の時間間隔で薄膜スイッチ１１を押すと、押すたびに、光源４は、ΔＣカンデラずつ発光光度を大きくできる。
【００２６】
図５と図６は、以上のような本実施の形態の照明制御のリモコン受信部２における処理手順をフローチャートで示した図である。図５において、リモコン受信部２は、処理を開始すると（ステップＳ１０）において、マイクロフォン２０から供給されるアナログ電気信号の音波情報をＡＤ変換してデジタルサンプル列に変換する。次に、（ステップＳ１１）に進み、フィルタ処理、または、高速フーリエ変換処理（ＦＦＴ処理）などにより、スペクトル抽出を行う。（ステップＳ１２）において、ｆ（ｋＨｚ）成分の強度が所定値以上かどうか判定し、所定値以上の場合、立上がり検出による割り込みを発生させて、（ステップＳ１０）に戻る。
【００２７】
図６においては、（ステップＳ２０）において、リモコン受信部２は、立上がり検出による割込み待ちを行う。図５の（ステップＳ１２）において立上がり検出がＹｅｓとなり割込み起動が行われると、（ステップＳ２０）においてＹｅｓとなり、（ステップＳ２１）に進む。（ステップＳ２１）において、立ち上がりが検出された時刻、すなわち、音波情報の受音時刻を記憶する。受音時刻は、任意の計数タイマによる時分秒の時刻情報でも良いが、任意のソフトウェアタイマによる計数値で表現しても良い。（ステップＳ２２）に進み、リモコン受信部２は、前回受音時刻から今回受音時刻までの時間間隔ΔＴを計測する。具体的には、リモコン受信部２は、前回受音時刻Ｔｙと今回受音時刻Ｔｘの差分ΔＴ＝Ｔｙ−Ｔｘを算出する。次に（ステップＳ２３）に進み、リモコン受信部２は、Ｔｂ＜ΔＴかどうか判定する。判定がＹｅｓの場合、（ステップＳ２４）に進み、リモコン受信部２は、照明制御情報をΔＣカンデラ分減光した値とし、（ステップＳ２０）の割込み待ちに戻る。（ステップＳ２３）においてＮｏの場合、リモコン受信部２は、（ステップＳ２５）に進み、ΔＴ＜Ｔａかどうか判定し、Ｙｅｓの場合（ステップＳ２６）に進み、照明制御情報をΔＣカンデラ分増光した値とし、（ステップＳ２０）の割込み待ちに戻る。（ステップＳ２５）においてＮｏの場合、リモコン受信部２は、減光、増光を行わずに（ステップＳ２０）の割込み待ちに戻る。従って、リモコン装置１の操作時間間隔ΔＴが、ΔＴ＜ＴａのようにΔＴが短時間の場合には、増光処理を行い、Ｔｂ＜ΔＴのようにΔＴが相対的に長時間の場合には、減光処理を行うことになる。
【００２８】
なお、上記説明では、ΔＴａ＜ΔＴｂとしたが、ΔＴａ＝ΔＴｂであってもよい。この場合は、使用者の薄膜スイッチ１１を押さえる時間間隔がΔＴａ=ΔＴｂに近い場合、使用者が減光を指示したつもりのところ、増光を行ってしまう結果になる恐れがあるが、注意して使用すれば、照明制御は不可能ではない。
【００２９】
リモコン受信部２の上記動作は、通常、ＭＰＵやメモリやレジスタ回路等、あるいは、ＤＳＰ集積回路等から実現され得る。図５と図６に示したフローチャートの処理手順は、通常、ソフトウェアで実現され、当該ソフトウェアはＲＯＭ等の記録媒体に記録されている。レジスタ２６や受音時刻の記憶には、不揮発性の記録媒体が好適であるが、揮発性の記録媒体でも実現可能である。但し、ＡＤ変換など処理の一部は、ハードウェア（専用回路）で実現しても良い。
【００３０】
図２に示すような本発明の照明制御用リモコンシステムに使用するリモコン装置１は、安価に作ることができるので、仮に紛失しても経済的損失は大きくない。従って、リモコン装置１を貸し出し管理する手間を省くことが可能になる。上記、薄膜スイッチ１１の操作方法については、カード状のリモコン装置１の表面に印刷しておけば、誰でも特段の説明なしに使用ができる。
（実施の形態２）
【００３１】
実施の形態１では、図４（Ｂ）のように、増光したい場合においても、最初の音波情報Ｓ１の発生においては、１回だけ減光が行われるが、このような動作をなくした例を実施の形態２において説明する。
【００３２】
図７は、本実施の形態２によるリモコン受信部２の構成ブロック図である。図３のブロック図と比較すると、レジスタ２６ａ、レジスタ２６ｂ、および、比較回路２８ａが異なる。図３のブロック図と異なる部分について説明する。
【００３３】
立上がり検出回路２３が出力するパルス信号は、計数回路２５、レジスタ２６ａ、および、レジスタ２６ｂに供給される。計数回路２５は、クロック回路２４から供給されるクロック信号を計数している。計数回路２５は、立上がり検出回路２３からパルス信号Ｐを受け取ると、その時点の計数値ΔＴをレジスタ２６ａに転送した後、計数値をリセットして、新たに計数を開始する。レジスタ２６ａは、パルス信号Ｐを受け取ると、その記憶内容をレジスタ２６ｂに転送し、計数回路２５から計数値ΔＴを受け取り格納する。レジスタ２６ｂは、パルス信号Ｐを受け取ると、レジスタ２６ａの記憶内容をレジスタ２６ｂに格納する。従って、計数回路２５には計数中の数値が記憶されており、レジスタ２６ａには今回の計数値ΔＴｘが格納され、レジスタ２６ｂにはさらに１回前の計数値ΔＴｙが格納される。計数回路２５、レジスタ２６ａ、レジスタ２６ｂは、シフトレジスタの機能を有することになる。定数発生回路２７は、所定の定数値ＴａとＴｂを発生させる。比較回路２８ａは、定数発生回路２７の定数値ＴａとＴｂとレジスタ２６ａ、レジスタ２６ｂの計数値ΔＴｘ、ΔＴｙとを後述するルールに基づき比較処理し、比較結果の情報を照明制御情報生成回路２９に供給して、照明制御情報を生成させる。
【００３４】
比較回路２８ａは、ΔＴｘ、ΔＴｙと定数値ＴａとＴｂの比較処理を行う。比較回路２８ａは、比較結果がＴｂ＜ΔＴｘの場合、減光指令情報を照明制御情報生成回路２９に供給する。照明制御情報生成回路２９は、減光指令情報に従って光度情報のカンデラ値をΔＣカンデラ低減した照明制御情報を出力する。比較結果がΔＴｘ＜Ｔａ、Ｔｂ＜ΔＴｙの場合、比較回路２８ａは、第２増光指令情報を照明制御情報生成回路２９に供給する。照明制御情報生成回路２９は、第２増光指令情報に従って光度情報のカンデラ値を２ΔＣカンデラ増加した照明制御情報を出力する。比較結果がΔＴｘ、ΔＴｙ＜Ｔａの場合、比較回路２８ａは、第１増光指令情報を照明制御情報生成回路２９に供給する。照明制御情報生成回路２９は、第１増光指令情報に従って光度情報のカンデラ値をΔＣカンデラ増加した照明制御情報を出力する。
【００３５】
本実施の形態では、図４（Ｂ）における音波情報Ｓ２のように、ΔＴ１が５秒以上経過した後、最初に発生した音波情報Ｓ１の次に音波情報Ｓ２がΔＴ２＝１．５秒以内に発生した場合には、発光光度を２ΔＣカンデラ増光することにより、Ｓ１におけるΔＣカンデラの減光を補正しつつ、増光する。その後、１．５秒以内で音波情報が連続する場合は、ΔＣカンデラずつの増光を行う。
【００３６】
図８は、以上のような本実施の形態の照明制御のリモコン受信部２における比較処理の処理手順をフローチャートで示した図である。なお、リモコン受信部２は、ＡＤ変換処理、フィルタ処理、または、高速フーリエ変換処理、および、立上がり検出処理として、図５に示したフローチャートに基づき、上記実施の形態と同様の手順を実行する。図８においては、（ステップＳ３０）において、リモコン受信部２は、立上がり検出による割込み待ちを行う。（ステップＳ１２）において立上がり検出がＹｅｓとなり、リモコン受信部２において割込み起動処理が行われると、（ステップＳ３０）においてＹｅｓとなり、（ステップＳ３１）に進む。（ステップＳ３１）において、リモコン受信部２は、立ち上がりが検出された時刻、すなわち、音波情報の受音時刻を記憶する。（ステップＳ３２）に進み、リモコン受信部２は、前回受音時刻から今回受音時刻までの時間間隔ΔＴｘを計測する。具体的には、リモコン受信部２は、前回受音時刻Ｔｙと今回受音時刻Ｔｘの差分ΔＴｘ＝Ｔｙ−Ｔｘを算出する。また、リモコン受信部２は、前回計測し格納してある前回時間間隔ΔＴｙを読み出す。さらに、リモコン受信部２は、今回時間間隔ΔＴｘを前回時間間隔として記憶格納する。次に（ステップＳ３３）に進み、リモコン受信部２は、Ｔｂ＜ΔＴかどうか判定する。判定がＹｅｓの場合、リモコン受信部２は（ステップＳ４４）に進み、ΔＣカンデラ減光した照明制御情報を照明制御部３に出力し（ステップＳ３０）の割込み待ちに戻る。（ステップＳ３３）においてＮｏの場合、リモコン受信部２は（ステップＳ３５）に進み、ΔＴｘ＜Ｔａ、Ｔｂ＜ΔＴｙかどうか判定し、Ｙｅｓの場合（ステップＳ３６）に進み、第２増光指令情報として２ΔＣカンデラ増光した照明制御情報を照明制御部３に出力し（ステップＳ３０）の割込み待ちに戻る。リモコン受信部２は（ステップＳ３５）においてΔＴｘ、ΔＴｙ＜Ｔａかどうか判定し、Ｙｅｓの場合（ステップＳ３８）に進み、第１増光指令情報としてΔＣカンデラ増光した照明制御情報を照明制御部３に出力して（ステップＳ３０）の割込み待ちに戻る。（ステップＳ３７）においてＮｏの場合、リモコン受信部２は、減光、増光を行わずに（ステップＳ３０）の割込み待ちに戻る。
（実施の形態３）
【００３７】
上記各実施の形態は、音波情報を発生させるたびに、発光光度を増光、減光するようにした方式、いいかえると、音波情報の発生回数に応じて、発光光度を制御する方式であった。本実施の形態では、薄膜スイッチ１１を何回も押すことなく所望の明るさに制御する方式について説明する。
【００３８】
リモコン受信部２は、ＡＤ変換処理、フィルタ処理、または、高速フーリエ変換処理、および、立上がり検出処理については、図５に示したフローチャートに基づき、上記実施の形態と同様の手順を実行する。
【００３９】
また、リモコン受信部２は、図９における（ステップＳ５０）、（ステップＳ５１）の照明制御情報出力の処理を常時行う。（ステップＳ５０）において、リモコン受信部２は、照明制御情報が指示する光度値にΔＸ加えた値を新たな光度値とする照明制御情報を出力して照明制御部３に供給する。光源４の最高発光光度値が１７００カンデラの場合、ΔＸは−５０カンデラ、０カンデラ、５０カンデラのいずれかとする。ただし、ΔＸは±５０カンデラ以外の値でもよいことは言うまでもない。（ステップＳ５０）の処理が終わると、リモコン受信部２は、（ステップＳ５１）に進み、時間Ｔｄだけ待機し、（ステップＳ５０）に戻る。ΔＸ＝０の場合は、同じ発光光度が維持される。また、ΔＸ＝＋５０カンデラの場合は、５０カンデラ／Ｔｄの速度で持続的に発光光度が増加し、ΔＸ＝−５０カンデラの場合は、５０カンデラ／Ｔｄの速度で持続的に発光光度が減少することになる。時間Ｔｄの値は、０．５秒や１秒程度の値でよい。
【００４０】
（ステップＳ１２）においてリモコン受信部２が立ち上がりを検出すると、図１０に示したフローチャートの（ステップＳ４０）から（ステップＳ４９）に示した手順の処理を実行する。リモコン受信部２は、（ステップＳ４０）において割込み発生を待っている。（ステップＳ１２）での立上がり検出により割込みが発生すると、（ステップＳ４０）においてＹｅｓとなり（ステップＳ４１）に進み、リモコン受信部２は、所定時間Ｔｗ＝５秒を計数する５秒タイマを起動させ、（ステップＳ４２）に進む。（ステップＳ４２）において、リモコン受信部２は、上記立上がりを１回目として計数し、（ステップＳ４３）に進み、タイマが５秒になったかどうか判定する。（ステップＳ４３）においてＮｏの場合、リモコン受信部２は、（ステップＳ４２）に戻る。（ステップＳ４２）と（ステップＳ４３）の処理により、リモコン受信部２は、５秒間の間に生起した立上がりのパルス信号の回数を計数することになる。
【００４１】
（ステップＳ４３）において、タイマの計数値が５秒になると、Ｙｅｓとなり、受信部２１は、（ステップＳ４４）において５秒間中でのパルス信号Ｐの発生回数が１回であったかどうか判定する。Ｙｅｓの場合、（ステップＳ４５）に進み、ΔＸを−ΔＣとし（ステップＳ４０）に戻る。Ｎｏの場合、（ステップＳ４６）に進み、５秒間でのパルス信号Ｐの発生回数が２回であったかどうか判定する。Ｙｅｓの場合、（ステップＳ４７）に進み、ΔＸを＋ΔＣとし（ステップＳ４０）に戻る。Ｎｏの場合、（ステップＳ４８）に進み、５秒間でのパルス信号Ｐの発生回数が３回であったかどうか判定する。Ｙｅｓの場合、（ステップＳ４９）に進み、ΔＸを０とし（ステップＳ４０）に戻る。Ｎｏの場合も（ステップＳ４０）に戻る。
【００４２】
以上のような処理手順により、５秒間の内に、１回だけ薄膜スイッチ１１を押すと、ΔＣカンデラ／Ｔｄの速さで、減光制御が行われる。５秒間の内に、２回だけ薄膜スイッチ１１を押すと、ΔＣカンデラ／Ｔｄの速さで、増光制御が行われる。５秒間の内に、３回だけ薄膜スイッチ１１を押すと、光度維持状態になる。部屋の照明を暗くしたい場合、リモコン装置１を１回操作すると、減光が始まる。丁度良いところで、リモコン装置１を３回操作すると、減光が止まる。暗くしすぎた場合は、リモコン装置１を２回操作して増光に移行し、丁度良いところで、リモコン装置１を３回操作すると、増光が止まる。従って、簡単な操作により、所望の明るさの照明状態に制御することが可能になる。また、本実施の形態によれば、リモコン装置１の操作回数を少なくできる効果もある。
【００４３】
なお、Ｔｗ＝５秒の時間長、Ｔｄの値、ΔＣの値などは、上記数値に限らず、別の値にしてもよい。
【００４４】
以上の説明のように、本実施の形態におけるリモコン受信部２は、５秒のような所定時間内に受信する音波情報の回数を計数し、受信回数が３通りの内の第１の回数が、例えば１回の場合、前記照明制御情報が指示する発光光度を低減する制御を行い、前記回数が３通りの内の第２の回数が、例えば２回である場合、前記照明制御情報が指示する発光光度を増加する制御を行い、前記回数が３通りの内の第３の回数が、例えば３回である場合、前記照明制御情報が指示する発光光度を維持する制御を行う。３通りの回数の第１、第２、第３の回数は、それぞれ、１回、２回、３回以外の回数でもよいし、回数の対応を変更してもよい。３通りの回数は、互いに重複しない３通りの回数の範囲であればよい。
（実施の形態４）
【００４５】
図１１は、図２に示したリモコン装置１のような電池１４を使用しないリモコン装置１ａの例である。図１１（ａ）は、リモコン装置１ａのブロック図、図１１（ｂ）は、リモコン装置１ａの外観図である。
【００４６】
カード形状のリモコン装置１ａにおいて、セラミックスピーカ１３と発振回路１２を除くエリアに圧電発電回路１５を設ける。圧電発電回路１５は、圧電セラミックスを薄い板の両面に電極層を設けた構造であって、カードを曲げて圧電セラミックスにひずみを与えると電極層の間に電圧が発生する。この電圧は、発振回路１２に供給され、発振回路１２は、この電圧を受けると周波数ｆｋＨｚの波形を発振し、セラミックスピーカ１３を駆動して、音波情報を発音する。
【００４７】
本実施の形態のリモコン装置１ｂによれば、電池１４が必要なく、電池交換が不要になり、さらに好適である。
（実施の形態５）
【００４８】
次に、２種類の音波情報を使用して、一方により減光制御を行い、他方により増光制御を行うようにした本発明の照明制御用リモコンシステムについて説明する。図１２は、本実施の形態に使用するリモコン装置１ｂの例である。
【００４９】
リモコン装置１ｂは、２個の薄膜スイッチ１１ｄと薄膜スイッチ１１ｕを具備する。薄膜スイッチ１１ｄを押さえると、薄膜スイッチ１１ｄから発振回路１２にパルス信号Ｐｄが供給される。発振回路１２は、パルス信号Ｐｄを受け取ると、所定の周波数、周波数ｆｄ（ｋＨｚ）、時間長Ｔｓ（ｍｓ）の刺激信号を発振し、セラミックスピーカ１３に供給する。薄膜スイッチ１１ｕを押さえると、薄膜スイッチ１１ｕから発振回路１２にパルス信号Ｐｕが供給される。発振回路１２は、パルス信号Ｐｕを受け取ると、所定の周波数、周波数ｆｕ（ｋＨｚ）、時間長Ｔｓ（ｍｓ）の刺激信号を発振し、セラミックスピーカ１３に供給する。一例として、ｆｄを３ｋＨｚ、ｆｕを４．７ｋＨｚとする。
【００５０】
リモコン受信部２ｂは、２つの周波数ｆｕとｆｄを識別して、ｆｕを検知すると、増光処理を行い、ｆｄを検知すると減光処理を行う。
【００５１】
リモコン受信部２ｂの動作のフローチャートを図１３、図１４に示す。図１３における（ステップＳ６０）、（ステップＳ６１）、（ステップＳ６２）の処理は、図５で説明したのと同様の処理である。ただし、（ステップＳ６１）のスペクトル検出処理では、検出した信号の周波数がｆｄかｆｕかも検知し記憶しておく。
【００５２】
図１４において、リモコン受信部２は、（ステップＳ７０）において割込み待ちをしており、（ステップＳ６２）において、立上がり検出があると、（ステップＳ７１）に進み、検出した周波数のスペクトルがＤ、すなわち、周波数ｆｄであったかどうか判定する。Ｙｅｓの場合、減光指示があったと判定して、（ステップＳ７２）に進み、ΔＣだけ低減した照明制御情報を出力し、（ステップＳ７０）に戻る。（ステップＳ７１）においてＮｏの場合、（ステップＳ７３）に進み、検出した周波数のスペクトルがＵ、すなわち、周波数ｆｕであったかどうか判定する。Ｙｅｓの場合、増光指示があったと判定して、（ステップＳ７４）に進み、ΔＣだけ増加させた照明制御情報を出力し、（ステップＳ７０）に戻る。（ステップＳ７３）においてＮｏの場合、減光、増光の指示がないと判定して、（ステップＳ７０）に戻り次の割り込み発生を待つ。
【００５３】
リモコン装置１ｂの薄膜スイッチ１１ｄの上には、「減光」、「暗く」などの文字を印刷しておき、薄膜スイッチ１１ｕの上には、「増光」、「明るく」などの文字を印刷しておく。本実施の形態によれば、誰がリモコン装置１ｂを与えられても、使用法の説明を受けることなく、照明の操作ができる。
【００５４】
以上の説明のように、本実施の形態では、リモコン装置１ｂは、第１の周波数成分であるｆｄ＝３ｋＨｚの成分を含む第１の音波情報と、第２の周波数成分であるｆｕ＝４．７ｋＨｚの成分を含む第２の音波情報の何れかを発生し、リモコン受信部２は、第１の音波情報を受信すると、照明制御情報が指示する発光光度を低減する制御を行い、第２の音波情報を受信すると、照明制御情報が指示する発光光度を増加する制御を行う。ｆｄ、ｆｕの値は、周波数スペクトルの弁別ができる限り、上記値以外でも良い。
（実施の形態６）
【００５５】
ｆｄ、ｆｕのようにそれぞれ単一周波数成分の音波情報の代りに、複数の周波数成分の組み合わせ、あるいは、帯域周波数成分によって形成されるスペクトルの形状である周波数エンベロープＤと周波数エンベロープＵを有する音波情報を２通り用意し、このような音波情報を発振回路１２が発生するようにし、（ステップＳ６１）において、スペクトルの形状がＤかＵを検出し、（ステップＳ６２）において、スペクトルＤまたはＵのレベルが所定レベル以上の場合に、薄膜スイッチ１１ｄまたは薄膜スイッチ１１ｕが押されたと判定し、（ステップＳ７１）においては、スペクトル形状がＤであるかどうか判定し、（ステップＳ７３）においては、スペクトル形状がＵであるかどうか判定するようにしてもよい。なお、周波数エンベロープＤと周波数エンベロープＵが形成される周波数領域、または、エンベロープの形状を互いに異なるものにしておくべきであることは言うまでもない。
【００５６】
音波情報の周波数成分が周波数エンベロープＤとＵの形状であるかどうかの判定には、フィルタを多数使用した周波数分析、ＦＦＴによる周波数分析など周知の周波数分析手法が適用可能である。
【００５７】
部屋の中の雑音や話し声のスペクトル形状がスペクトルＤやＵの形状になることは稀であるので、意図しない減光や増光がおきる確率が減少する。
【００５８】
以上の説明のように、本実施の形態では、リモコン装置１ｂは、第１の周波数成分として、周波数エンベロープＤに該当する成分を含む第１の音波情報と、第２の周波数成分として周波数エンベロープＵに該当する成分を含む第２の音波情報の何れかを発生し、リモコン受信部２は、第１の音波情報を受信すると、照明制御情報が指示する発光光度を低減する制御を行い、第２の音波情報を受信すると、照明制御情報が指示する発光光度を増加する制御を行う。Ｄ、Ｕの各周波数エンベロープは、互いに周波数エンベロープの弁別ができる特性でなければならない。
【００５９】
マイクロフォン２０が受音する音波情報は、部屋での音波の反射、回折、吸収などにより周波数エンベロープの形状が変形を受ける。従って、（ステップＳ７１）、（ステップＳ７３）における周波数エンベロープの形状の判定には、許容範囲を設けることが好ましい。また、周波数エンベロープの形状の時間的変化も（ステップＳ６１）において抽出し、第１と第２の音波情報の時間的変化の差を第１と第２の音波情報の判別に活用しても良い。
（実施の形態７）
【００６０】
上記実施の形態においては、リモコン装置１として、カード型の簡単な音波情報の発生装置について説明したが、本発明の照明制御用リモコンシステムに使用する他の形態のリモコン装置について説明する。
【００６１】
図２のリモコン装置１のように一種類の音波情報を発生させるものとして、ブリキなどの板をプレスして製作した蛙などのおもちゃ形状の遊具で、押さえると一時的に曲がり、押さえた時や戻る時などに音を発生する発音具が知られているが、このような発音具をリモコン装置１として使用できる。リモコン受信部２のスペクトル検出の周波数ｆｓは、この発音具の発音周波数に合わせればよい。カスタネット、音さ、拍子木などの発音具をリモコン装置１として使用してもよい。周波数ｆｓの音を出すことができる笛を「ピッ」「ピッ」と吹奏して使用することもできる。
【００６２】
発生周波数やスペクトルが異なる２種類の発音具を用意し、一方を減光用に、他方を増光用に使用してもよい。それぞれの発音具が発生する音波情報の周波数スペクトルの一方を、（ステップＳ６１）におけるスペクトルＵとし,他方をスペクトルＤとして判定することは言うまでもない。
【００６３】
また、部屋の演台や部屋の所定の場所に、上記２種類の発音具を取り付けておき、この発音具をたたいて音波情報を発生させるようにしてもよい。たとえば、板状の拍子木を２種類、演台の上に取り付けておき、これを棒で叩いて音波情報を発生させるようにしてもよい。板状の拍子木の上には、一方に「減光」、「暗く」などの文字を印刷しておき、他方には、「増光」、「明るく」などの文字を印刷しておけば、特段の説明がなくとも使用できる。
【００６４】
（その他の実施の形態および補足）
【００６５】
上記各実施の形態では、音波情報の周波数として、可聴周波数帯域を例としてあげたが、周波数ｆ、ｆｄ、ｆｕ、周波数エンベロープＤ、Ｕの周波数帯域などは、超音波周波数帯域としても良い。照明制御中の音波情報が聴衆などに聞こえない利点がある。一方、制御する人がリモコン装置を何回操作したかを音で確認できない欠点がある。
【００６６】
上記説明において、セラミックスピーカ１３は、音波情報を発生する電気音響変換器であればよく、ブザーなども含む概念のものである。また、発振回路１２は、共振回路などでも良い。共振回路は、電気的共振回路でも機械的振動を利用した共振器でもよい。
【００６７】
リモコン装置１、１ａ、１ｂなどが発生する音波情報は、図１５に示すような、所定の振幅変動、すなわち振幅エンベロープを付加したものでもよい。このような信号を生成するには、発振回路１２内部に、振幅変調回路を設けておき、薄膜スイッチ１１が押されたときに、振幅エンベロープの形状の信号も発生させて、周波数ｆ、ｆｄ、ｆｕの信号を振幅変調すればよい。また、リモコン受信部２の立上がり検出回路２３において、検波回路２２から供給される検波出力信号の振幅変化が、所定の振幅エンベロープ形状かどうかを電圧波形の比較により判定し、形状が異なる場合は、音波情報ではないと判定して、立上がり検出回路２３は、パルス信号Ｐを出力しない。このようにすれば、部屋内で発生する雑音を音波情報と判定する確率を少なく出来る。検波出力信号の振幅変化が、所定の振幅エンベロープ形状かどうかの判定は、検波出力信号の振幅変化をＡＤ変換したデータと予め記憶してある振幅エンベロープ形状データとの類似度を調べるようにしてもよい。
【００６８】
上記説明したように、本発明の照明制御用リモコンシステムにおける音波情報の周波数成分は、周波数ｆ、ｆｄ、ｆｕのような単一周波数成分でもよいし、複数の線スペクトルからなる周波数成分でも良いし、所定の周波数の範囲で連続的に広がりを有する帯域周波数成分でもよい。
【産業上の利用可能性】
【００６９】
本発明にかかる照明システムは、建物の内部、外部、ホールや種々の施設の照明システムとして有用である。
【図面の簡単な説明】
【００７０】
【図１】本発明の照明制御用リモコンシステムの一実施形態のブロック図
【図２】本発明の照明制御用リモコンシステムに使用するリモコン装置の一実施形態のブロック図
【図３】本発明の照明制御用リモコンシステムのリモコン受信部の一実施形態のブロック図
【図４】本発明の照明制御用リモコンシステムの動作波形の一例を示す図
【図５】本発明の照明制御用リモコンシステムの一実施形態の動作のフローチャート
【図６】本発明の照明制御用リモコンシステムの一実施形態の動作のフローチャート
【図７】本発明の照明制御用リモコンシステムのリモコン受信部の他の実施形態のブロック図
【図８】本発明の照明制御用リモコンシステムの他の実施形態の動作のフローチャート
【図９】本発明の照明制御用リモコンシステムの他の実施形態の動作のフローチャート
【図１０】本発明の照明制御用リモコンシステムの他の実施形態の動作のフローチャート
【図１１】本発明の照明制御用リモコンシステムに使用するリモコン装置の他の実施形態のブロック図
【図１２】本発明の照明制御用リモコンシステムに使用するリモコン装置の他の実施形態のブロック図
【図１３】本発明の照明制御用リモコンシステムの他の実施形態の動作のフローチャート
【図１４】本発明の照明制御用リモコンシステムの他の実施形態の動作のフローチャート
【図１５】本発明の照明制御用リモコンシステムにおける音波情報の信号波形の一例を示す図
【符号の説明】
【００７１】
１、１ａ、１ｂ    リモコン装置
２    リモコン受信部
３    照明制御部
４    光源
１１、１１ｄ、１１ｕ    薄膜スイッチ
１２    発振回路
１３  セラミックスピーカ
１４    電池
１５    圧電発電回路
【図１】
2008016290.tif 000003
【図２】
2008016290.tif 000004
【図３】
2008016290.tif 000005
【図４】
2008016290.tif 000006
【図５】
2008016290.tif 000007
【図６】
2008016290.tif 000008
【図７】
2008016290.tif 000009
【図８】
2008016290.tif 000010
【図９】
2008016290.tif 000011
【図１０】
2008016290.tif 000012
【図１１】
2008016290.tif 000013
【図１２】
2008016290.tif 000014
【図１３】
2008016290.tif 000015
【図１４】
2008016290.tif 000016
【図１５】
2008016290.tif 000017